(57)【要約】      （修正有）【課題】接合部にプレストレスが導入されつつ、重複してプレストレスが導入されている範囲を無くすことができるコンクリート床版の接合構造及びコンクリート床版の接合方法を提供する。【解決手段】第１コンクリート床版１０Ａはプレテンション緊張材１３Ａによってプレテンション方式によるプレストレスが導入されており、第２コンクリート床版２０は、ポストテンション緊張材２３によってポストテンション方式によるプレストレスが導入されているため、第１コンクリート床版１０Ａ及び第２コンクリート床版２０はそれぞれ独立して別個にプレストレスが導入されている。プレテンション緊張材１３Ａとポストテンション緊張材２３とが連結されていることにより、第１コンクリート床版１０Ａと第２コンクリート床版２０との接合部にプレストレスが導入されつつ、重複してプレストレスが導入されている範囲を無くすことができる。【選択図】図１
2020133260.tif 000002
【特許請求の範囲】
【請求項１】
第１コンクリート床版と第２コンクリート床版とが接合されているコンクリート床版の接合構造であって、
前記第１コンクリート床版は、プレテンション緊張材によってプレテンション方式によるプレストレスが導入されており、
前記第２コンクリート床版は、ポストテンション緊張材によってポストテンション方式によるプレストレスが導入されており、
前記プレテンション緊張材と前記ポストテンション緊張材とが連結されている、コンクリート床版の接合構造。
【請求項２】
前記第１コンクリート床版と前記第２コンクリート床版とは間詰部を介して接合されており、前記間詰部は間詰コンクリートが充填されている、請求項１に記載のコンクリート床版の接合構造。
【請求項３】
前記間詰コンクリートは、打設後の硬化時に膨張する膨張性のコンクリートである、請求項２に記載のコンクリート床版の接合構造。
【請求項４】
プレテンション緊張材によってプレテンション方式によるプレストレスが導入されている第１コンクリート床版を設置する第１設置工程と、
前記第１設置工程で設置された前記第１コンクリート床版が車両の通行のために供用された後に、第２コンクリート床版を設置する第２設置工程と、
前記第１コンクリート床版と前記第２コンクリート床版とを接合する接合工程と、
前記第２コンクリート床版にポストテンション緊張材によってポストテンション方式によるプレストレスを導入するポストテンション工程と、
を備え、
前記接合工程では、前記プレテンション緊張材と前記ポストテンション緊張材とを連結する、コンクリート床版の接合方法。
【請求項５】
前記接合工程では、前記第１コンクリート床版と前記第２コンクリート床版とを間詰部を介して接合し、前記間詰部に間詰コンクリートを充填する、請求項４に記載のコンクリート床版の接合方法。
【請求項６】
前記第１設置工程で設置される前記第１コンクリート床版を形成するコンクリートの打設前に、管状部材と、前記管状部材の一端部を塞ぐ閉鎖部とを有する前記プレテンション緊張材を前記コンクリートの打設部位に配置し、
前記管状部材の内部に挿入され、前記管状部材の他端部から押圧されつつ前記閉鎖部を押圧する挿入部材により前記管状部材に引張力を付与し、
前記打設部位に前記コンクリートを打設し、
打設された前記コンクリートの硬化後に、前記挿入部材により前記管状部材に付与された前記引張力を除去することによって、前記第１コンクリート床版にプレストレスを導入する、請求項４又は５に記載のコンクリート床版の接合方法。
【発明の詳細な説明】
【技術分野】
【０００１】
本発明は、コンクリート床版の接合構造及びコンクリート床版の接合方法に関する。
【背景技術】
【０００２】
コンクリート床版の補修のために、既設のコンクリート床版を新たな床版に取り換える技術が提案されている。例えば、特許文献１には、道路の幅員方向が一次施工部と二次施工部に分割され、一次施工部及び二次施工部の順に既設のコンクリート床版が新たな床版に取り換えられる技術が開示されている。特許文献１の技術では、二次施工部の既設の床版が道路として供用されつつ一次施工部の既設の床版が新たな床版に取り換えられる。一次施工部の新たな床版が道路として供用された後に、二次施工部の既設の床版が新たな床版に取り換えられる。一次施工部の新たな床版と二次施工部の新たな床版とが接合されて、一次施工部と二次施工部との全体が道路として供用される。
【０００３】
特許文献１の技術では、一次施工部にプレテンション方式によるプレストレスが導入されている新たなコンクリート床版が設置される。二次施工部に新たなコンクリート床版が設置された後に、二次施工部の床版の幅員方向の全範囲と、一次施工部の床版の幅員方向の一部の範囲とにまたがってポストテンション緊張材が挿通される。ポストテンション緊張材によって、二次施工部の床版の幅員方向の全範囲と、一次施工部の床版の幅員方向の一部とに、ポストテンション方式によるプレストレスが導入され、二次施工部の床版と一次施工部の床版とが接合される。
【先行技術文献】
【特許文献】
【０００４】
【特許文献１】特許第６３２３７７６号公報
【発明の概要】
【発明が解決しようとする課題】
【０００５】
ところで、上記の技術では、一次施工部において、車両の通行のために供用される新たな床版にはプレストレスが導入されている必要がある。また、一次施工部の新たな床版と二次施工部の新たな床版との接合部にもプレストレスが導入されている必要がある。
【０００６】
しかし、二次施工部において、新たな床版にポストテンション方式によるプレストレスが導入されると、ポストテンション緊張材は二次施工部の床版の幅員方向の全範囲と、一次施工部の床版の幅員方向の一部の範囲とにまたがって挿通されているため、一次施工部の床版には、プレテンション方式によるプレストレスとポストテンション方式によるプレストレスとが重複して導入される部分が発生し、緊張材のために必要な鋼材が大量になり、不経済である。
【０００７】
そこで本発明は、接合部にプレストレスが導入されつつ、重複してプレストレスが導入されている範囲を無くすことができるコンクリート床版の接合構造及びコンクリート床版の接合方法を提供することを目的とする。
【課題を解決するための手段】
【０００８】
本発明は、第１コンクリート床版と第２コンクリート床版とが接合されているコンクリート床版の接合構造であって、第１コンクリート床版は、プレテンション緊張材によってプレテンション方式によるプレストレスが導入されており、第２コンクリート床版は、ポストテンション緊張材によってポストテンション方式によるプレストレスが導入されており、プレテンション緊張材とポストテンション緊張材とが連結されているコンクリート床版の接合構造である。
【０００９】
この構成によれば、第１コンクリート床版と第２コンクリート床版とが接合されているコンクリート床版の接合構造において、第１コンクリート床版はプレテンション緊張材によってプレテンション方式によるプレストレスが導入されており、第２コンクリート床版は、ポストテンション緊張材によってポストテンション方式によるプレストレスが導入されているため、第１コンクリート床版及び第２コンクリート床版はそれぞれ独立して別個にプレストレスが導入されている。さらに、プレテンション緊張材とポストテンション緊張材とが連結されていることにより、第１コンクリート床版と第２コンクリート床版との接合部にプレストレスが導入されつつ、重複してプレストレスが導入されている範囲を無くすことができる。
【００１０】
この場合、第１コンクリート床版と第２コンクリート床版とは間詰部を介して接合されており、間詰部は間詰コンクリートが充填されていることが好適である。
【００１１】
この構成によれば、第１コンクリート床版と第２コンクリート床版とは間詰部を介して接合されており、間詰部は間詰コンクリートが充填されているため、第１コンクリート床版と第２コンクリート床版とが接合されている部位の耐水性を向上させることができる。
【００１２】
この場合、間詰コンクリートは、打設後の硬化時に膨張する膨張性のコンクリートであることが好適である。
【００１３】
この構成によれば、間詰コンクリートは打設後の硬化時に膨張する膨張性のコンクリートであるため、硬化後の収縮によるひび割れを低減することができる。
【００１４】
また、本発明は、プレテンション緊張材によってプレテンション方式によるプレストレスが導入されている第１コンクリート床版を設置する第１設置工程と、第１設置工程で設置された第１コンクリート床版が車両の通行のために供用された後に、第２コンクリート床版を設置する第２設置工程と、第１コンクリート床版と第２コンクリート床版とを接合する接合工程と、第２コンクリート床版にポストテンション緊張材によってポストテンション方式によるプレストレスを導入するポストテンション工程とを備え、接合工程では、プレテンション緊張材とポストテンション緊張材とを連結するコンクリート床版の接合方法である。
【００１５】
この場合、接合工程では、第１コンクリート床版と第２コンクリート床版とを間詰部を介して接合し、間詰部に間詰コンクリートを充填することが好適である。
【００１６】
この構成によれば、接合工程では、第１コンクリート床版と第２コンクリート床版とが間詰部を介して接合され、間詰部に間詰コンクリートが充填されるため、寸法にに柔軟性を有する間詰部により、第１コンクリート床版及び第２コンクリート床版の寸法のばらつき及び施工誤差等を吸収することができる。このため、第１コンクリート床版及び第２コンクリート床版の寸法のばらつき及び施工誤差等に対するロバスト性が向上する。
【００１７】
また、第１設置工程で設置される第１コンクリート床版を形成するコンクリートの打設前に、管状部材と、管状部材の一端部を塞ぐ閉鎖部とを有するプレテンション緊張材をコンクリートの打設部位に配置し、管状部材の内部に挿入され、管状部材の他端部から押圧されつつ閉鎖部を押圧する挿入部材により前記管状部材に引張力を付与し、打設部位にコンクリートを打設し、打設されたコンクリートの硬化後に、挿入部材により管状部材に付与された引張力を除去することによって、第１コンクリート床版にプレストレスを導入することが好適である。
【００１８】
この構成によれば、第１設置工程で設置される第１コンクリート床版を形成するコンクリートの打設前に、管状部材と管状部材の一端部を塞ぐ閉鎖部とを有するプレテンション緊張材がコンクリートの打設部位に配置され、管状部材の内部に挿入されて管状部材の他端部から押圧されつつ閉鎖部を押圧する挿入部材により管状部材に引張力が付与される。打設部位にコンクリートが打設される。打設されたコンクリートの硬化後に、挿入部材により管状部材に付与された引張力が除去されることによって、第１コンクリート床版にプレストレスが導入される。このため、大規模な装置を要さずに第１コンクリート床版にプレテンション方式によるプレストレスを導入することができる。
【発明の効果】
【００１９】
本発明のコンクリート床版の接合構造及びコンクリート床版の接合方法によれば、接合部にプレストレスが導入されつつ、重複してプレストレスが導入されている範囲を無くすことができる。
【図面の簡単な説明】
【００２０】
【図１】（Ａ）は接合工程及びポストテンション工程の後の第１実施形態のコンクリート床版の接合構造を示す平面図であり、（Ｂ）は（Ａ）のα線による縦断面図である。
【図２】（Ａ）は第１実施形態のコンクリート床版の接合構造の第１設置工程を示す平面図であり、（Ｂ）は（Ａ）のβ線による縦断面図である。
【図３】（Ａ）は図２（Ｂ）の第１コンクリート床版の製造時にプレテンション緊張材がダミー緊張材により引張力を付与されつつコンクリートが打設される状態を示す縦断面図であり、（Ｂ）は（Ａ）のコンクリートの硬化後にダミー緊張材が除去された状態を示す縦断面図であり、（Ｃ）は（Ｂ）の型枠が除去された第１コンクリート床版を示す縦断面図である。
【図４】（Ａ）は第１実施形態のコンクリート床版の接合構造の第２設置工程を示す平面図であり、（Ｂ）は（Ａ）のγ線による縦断面図である。
【図５】（Ａ）は第１実施形態のコンクリート床版の接合構造の接合工程の間詰部に間詰コンクリートを充填する前の状態を示す平面図であり、（Ｂ）は（Ａ）のδ線による縦断面図である。
【図６】（Ａ）は第１実施形態のコンクリート床版の接合構造のポストテンション工程を示す平面図であり、（Ｂ）は（Ａ）のδ線による縦断面図である。
【図７】（Ａ）は第２実施形態のコンクリート床版の接合構造のプレテンション緊張材の引張力が付与される前の状態を示す縦断面図であり、（Ｂ）は（Ａ）のプレテンション緊張材のコンクリートの打設前に引張力が付与された状態を示す縦断面図である。
【図８】（Ａ）は図７（Ｂ）のプレテンション緊張材が第１コンクリート床版を形成するコンクリートの打設部位に配置された状態を示す縦断面図であり、（Ｂ）は（Ａ）のコンクリートの硬化後にプレテンション緊張材により第１コンクリート床版にプレストレスが導入された状態を示す縦断面図であり、（Ｃ）は（Ｂ）の型枠、スリーブ及びストッパが除去された第１コンクリート床版を示す縦断面図である。
【図９】接合工程及びポストテンション工程の後の第２実施形態のコンクリート床版の接合構造を示す縦断面図である。
【発明を実施するための形態】
【００２１】
以下、図面を参照しつつ本発明に係るコンクリート床版の接合構造及びコンクリート床版の接合方法について詳細に説明する。図１（Ａ）及び図１（Ｂ）に示すように、本発明の第１実施形態に係るコンクリート床版の接合構造１Ａは、第１コンクリート床版１０Ａと第２コンクリート床版２０とが接合されている。
【００２２】
本実施形態のコンクリート床版の接合構造１Ａは、例えば、道路の幅員方向が一次施工部８１と二次施工部８２に分割され、一次施工部８１の既設のコンクリート床版が新たな第１コンクリート床版１０Ａに取り換えられた後に、二次施工部８２の既設のコンクリート床版が新たな第２コンクリート床版２０に取り換えられる場合に適用される。この場合、二次施工部８２の既設の床版が道路として供用されつつ一次施工部８１の既設の床版が新たな第１コンクリート床版１０Ａに取り換えられる。一次施工部８１の新たな第１コンクリート床版１０Ａが道路として供用された後に、二次施工部８２の既設の床版が新たな第２コンクリート床版２０に取り換えられる。一次施工部８１の新たな第１コンクリート床版１０Ａと二次施工部８２の新たな第２コンクリート床版２０とが接合されて、一次施工部８１の第１コンクリート床版１０Ａと二次施工部８２と第２コンクリート床版２０との全体が道路として供用される。
【００２３】
第１コンクリート床版１０Ａの第１端面１１と第２コンクリート床版２０の第２端面２１とが間詰部３０を介して対向している。第１コンクリート床版１０Ａと第２コンクリート床版２０とは間詰部３０を介して接合されており、間詰部３０は間詰コンクリート３１が充填されている。間詰部３０とは、第１コンクリート床版１０Ａの第１端面１１と第２コンクリート床版２０の第２端面２１との間において、第１コンクリート床版１０Ａを形成するコンクリート及び第２コンクリート床版２０を形成するコンクリートとは別個に充填された間詰コンクリート３１により形成された部位であることを意味する。間詰コンクリート３１は、打設後の硬化時に膨張する膨張性のコンクリートである。膨張性のコンクリートには、例えば、ＪＩＳ  Ａ  ６２０２に規定されるコンクリート用混和材が含まれている。
【００２４】
本実施形態のコンクリート床版の接合構造１Ａは、第１端面１１から間詰部３０に突出した第１継手鉄筋１２と、第２端面２１から間詰部３０に突出した第２継手鉄筋２２とを備える。本実施形態では、間詰部３０の延在方向（道路の延在方向）に等間隔で互いに交互に隣接する第１継手鉄筋１２及び第２継手鉄筋２２が上下方向に２段に間隔を隔てて配置されている。第１継手鉄筋１２と第２継手鉄筋２２との間詰部３０の側の端部には、セラミックアンカーが取り付けられている。
【００２５】
本実施形態のコンクリート床版の接合構造１Ａは、互いに隣接する第１継手鉄筋１２と第２継手鉄筋２２とに直交するように交差している補強鉄筋４０を備える。本実施形態では、間詰部３０の延在方向に等間隔で互いに交互に隣接する第１継手鉄筋１２及び第２継手鉄筋２２の上下方向の各段において、２本の補強鉄筋４０が連結されている。したがって、本実施形態のコンクリート床版の接合構造１Ａは、合計４本の補強鉄筋４０を備える。第１継手鉄筋１２、第２継手鉄筋２２及び補強鉄筋４０には、エポキシ樹脂塗装がなされている。補強鉄筋４０は、結束線等により、第１継手鉄筋１２と第２継手鉄筋２２とに連結されている。
【００２６】
第１コンクリート床版１０Ａは、本実施形態のコンクリート床版の接合構造１Ａが適用される施工現場以外の工場等で打設されたプレキャストコンクリートにより形成されている。第１コンクリート床版１０Ａは、プレテンション緊張材１３Ａによってプレテンション方式によるプレストレスが導入されている。プレテンション緊張材１３Ａには、鋼棒及び鋼管のいずれかを適用することができる。本実施形態では、プレテンション緊張材１３Ａには、異形ＰＣ鋼棒が適用される。なお、第１コンクリート床版１０Ａは、本実施形態のコンクリート床版の接合構造１Ａが適用される施工現場で打設された場所打ちコンクリートにより形成されていてもよい。
【００２７】
第２コンクリート床版２０は、プレキャストコンクリートにより形成されている。第２コンクリート床版２０及び間詰部３０は、ポストテンション緊張材２３によってポストテンション方式によるプレストレスが導入されている。第２コンクリート床版２０は、ポストテンション緊張材２３を収容するシース管２４を有する。シース管２４は、例えば、ポリエチレン製である。シース管２４とポストテンション緊張材２３との空隙間にはグラウトが充填されている。なお、第２コンクリート床版２０は、場所打ちコンクリートにより形成されていてもよい。
【００２８】
ポストテンション緊張材２３は、プレグラウトＰＣ鋼材である。プレグラウトＰＣ鋼材は、表面にグラウト材として常温硬化性樹脂が塗布された鋼より線がポリエチレン等のシースに被覆されているものである。プレグラウトＰＣ鋼材では、プレストレスの導入後に常温硬化性樹脂が硬化して、プレグラウトＰＣ鋼材とコンクリートとが一体化する。なお、ポストテンション緊張材２３は、鋼棒や鋼管等の円柱形状を有するものでもよい。
【００２９】
本実施形態では、プレテンション緊張材１３Ａとポストテンション緊張材２３とが第１コンクリート床版１０Ａに埋設された略円管形状を有するカップラー５０により連結されている。本実施形態では、互いに連結されているプレテンション緊張材１３Ａ及びポストテンション緊張材２３の端部は円柱形状を有し、外周面にネジ溝を有するため、内周面にネジ溝を有するカップラー５０により、容易に互いに連結することができる。間詰部３０の延在方向におけるプレテンション緊張材１３Ａ及びポストテンション緊張材２３の間隔は６００ｍｍ〜７５０ｍｍである。例えば、プレテンション緊張材１３Ａ及びポストテンション緊張材２３は、第１コンクリート床版１０Ａ及び第２コンクリート床版２０の一枚あたりに３〜４本配置される。
【００３０】
以下、本実施形態のコンクリート床版の接合方法について説明する。図２（Ａ）及び図２（Ｂ）に示すように、プレテンション緊張材１３Ａによってプレテンション方式によるプレストレスが導入されている第１コンクリート床版１０Ａを設置する第１設置工程が行われる。本実施形態では、第１設置工程でプレキャストコンクリートにより形成されている第１コンクリート床版１０Ａが設置される。
【００３１】
第１設置工程は、例えば、道路の幅員方向が一次施工部８１と二次施工部８２に分割された場合において、二次施工部８２の既設の床版が道路として供用されつつ一次施工部８１の既設の床版が新たな第１コンクリート床版１０Ａに取り換えられるために行われる。設置された第１コンクリート床版１０Ａは車両の通行のために供用されている。第１コンクリート床版１０Ａには、車両の通行による荷重Ｆがかかる。なお、本実施形態では、第１コンクリート床版１０Ａと第２コンクリート床版２０とが間詰部３０を介して接合され、間詰部３０に間詰コンクリート３１が充填されるため、第１コンクリート床版１０Ａの道路の幅員方向の幅は、一次施工部８１の既設の床版の道路の幅員方向の幅よりも小さい。
【００３２】
なお、第１コンクリート床版１０Ａの製造は、以下のようにして行われる。図３（Ａ）に示すように、型枠２０１の内部に、第１継手鉄筋１２等の鉄筋と共に、プレテンション緊張材１３Ａと、型枠２０１の型枠面２０１ｐの付近でプレテンション緊張材１３Ａの一端に連結されたカップラー５０とが配置される。カップラー５０には、型枠２０１の型枠面２０１ｐの外側からダミー緊張材１８０が連結される。カップラー５０を介してダミー緊張材１８０に連結されたプレテンション緊張材１３Ａは、ダミー緊張材１８０により引張力Ｐを付与される。型枠２０１にコンクリートＣが打設される。
【００３３】
図３（Ｂ）に示すように、コンクリートＣの硬化後にダミー緊張材１８０をカップラー５０から除去することにより、コンクリートＣにプレストレスＳが導入される。図３（Ｃ）に示すように、型枠２０１を除去することにより、第１コンクリート床版１０Ａが製造される。
【００３４】
図４（Ａ）及び図４（Ｂ）に示すように、第１設置工程で設置された第１コンクリート床版１０Ａが車両の通行のために供用された後に、第２コンクリート床版２０を設置する第２設置工程が行われる。第１端面１１から間詰部３０に突出した第１継手鉄筋１２と、第２端面２１から間詰部３０に突出した第２継手鉄筋２２とが互いに隣接させられる。第１コンクリート床版１０Ａには、車両の通行による荷重Ｆがかかる。なお、本実施形態では、第１コンクリート床版１０Ａと第２コンクリート床版２０とが間詰部３０を介して接合され、間詰部３０に間詰コンクリート３１が充填されるため、第２コンクリート床版２０の道路の幅員方向の幅は、二次施工部８２の既設の床版の道路の幅員方向の幅よりも小さい。
【００３５】
図５（Ａ）及び図５（Ｂ）に示すように、第１コンクリート床版１０Ａと第２コンクリート床版２０とを接合する接合工程が行われる。接合工程では、異形ＰＣ鋼棒等のプレテンション緊張材１３Ａと第２コンクリート床版２０のシース管２４に挿入されたプレグラウトＰＣ鋼材等のポストテンション緊張材２３とがカップラー５０により連結される。
【００３６】
接合工程では、間詰部３０に補強鉄筋４０が配置される。第１継手鉄筋１２、第２継手鉄筋２２及び補強鉄筋４０には、エポキシ樹脂塗装がなされる。補強鉄筋４０は、結束線等により、第１継手鉄筋１２と第２継手鉄筋２２とに連結される。図１（Ａ）及び図１（Ｂ）に示すように、接合工程では、第１コンクリート床版１０Ａと第２コンクリート床版２０とが間詰部３０を介して接合され、間詰部３０に間詰コンクリート３１が充填される。上述したように、間詰コンクリート３１は打設後の硬化時に膨張する膨張性のコンクリートである。
【００３７】
図６（Ａ）及び図６（Ｂ）に示すように、間詰部３０の間詰コンクリート３１が硬化した後に、第２コンクリート床版２０にポストテンション緊張材２３によってポストテンション方式によるプレストレスを導入するポストテンション工程が行われる。プレグラウトＰＣ鋼材等のポストテンション緊張材２３に引張力Ｐが付与されると、第２コンクリート床版２０及び間詰部３０にプレストレスＳが導入される。プレストレスＳの導入後に、シース管２４とポストテンション緊張材２３との空隙間にはグラウトが充填される。
【００３８】
本実施形態では、第１コンクリート床版１０Ａと第２コンクリート床版２０とが接合されているコンクリート床版の接合構造１Ａにおいて、第１コンクリート床版１０Ａはプレテンション緊張材１３Ａによってプレテンション方式によるプレストレスが導入されており、第２コンクリート床版２０は、ポストテンション緊張材２３によってポストテンション方式によるプレストレスが導入されているため、第１コンクリート床版１０Ａ及び第２コンクリート床版２０はそれぞれ独立して別個にプレストレスが導入されている。さらに、プレテンション緊張材１３Ａとポストテンション緊張材２３とが連結されていることにより、第１コンクリート床版１０Ａと第２コンクリート床版２０との接合部にプレストレスが導入されつつ、重複してプレストレスが導入されている範囲を無くすことができる。つまり、緊張材のために必要な鋼材は最小限の量となる。
【００３９】
また、本実施形態によれば、接合工程では、第１コンクリート床版１０Ａと第２コンクリート床版２０とは間詰部３０を介して接合され、間詰部３０は間詰コンクリート３１が充填されるため、一次施工部８１及び二次施工部８２の既設の床版に対して、第１コンクリート床版１０Ａ及び第２コンクリート床版２０の道路の幅員方向の幅を小さくすることができ、道路の幅員方向の幅に柔軟性を有する間詰部３０により、第１コンクリート床版１０Ａ及び第２コンクリート床版２０の寸法のばらつき及び施工誤差等を吸収することができる。このため、第１コンクリート床版１０Ａ及び第２コンクリート床版２０の寸法のばらつき及び施工誤差に対するロバスト性が向上する。また、間詰コンクリート３１の硬化後には、第１コンクリート床版１０Ａと第２コンクリート床版２０とが接合されている部位の耐水性を向上させることができる。また、本実施形態によれば、間詰コンクリート３１は、打設後の硬化時に膨張する膨張性のコンクリートであるため、ひび割れを低減することができる。
【００４０】
また、本実施形態によれば、状況に応じて第１コンクリート床版１０Ａをプレキャストコンクリートにより形成することができる。また、本実施形態によれば、第２コンクリート床版２０はポストテンション緊張材２３を収容するシース管２４を有するため、ポストテンション緊張材２３によるプレストレスがより容易に導入されたものとなる。また、本実施形態によれば、互いに連結されているプレテンション緊張材１３Ａ及びポストテンション緊張材２３のいずれかの端部は円柱形状を有するため、連結が容易であり、連結強度を向上させることができる。また、本実施形態によれば、ポストテンション緊張材２３はプレグラウトＰＣ鋼材であるため、施工現場でのグラウト作業を低減させることができ、施工性がより優れたものとなる。
【００４１】
以下、本発明の第２実施形態について説明する。図９に示すように、本実施形態のコンクリート床版の接合構造１Ｂでは、第１コンクリート床版１０Ｂは、プレテンション緊張材１３Ｂによってプレテンション方式によるプレストレスが導入されており、第１設置工程では、プレテンション緊張材１３Ｂによってプレテンション方式によるプレストレスが導入されている第１コンクリート床版１０Ｂが設置される。
【００４２】
まず、本実施形態のプレテンション緊張材１３Ｂについて説明する。図７（Ａ）はプレテンション緊張材１３Ｂの引張力Ｐが付与される前の状態を示す縦断面図であり、図７（Ｂ）はプレテンション緊張材１３Ｂの引張力Ｐが付与された状態を示す縦断面図である。図７（Ａ）及び図７（Ｂ）に示すように、本実施形態のプレテンション緊張材１３Ｂは、第１設置工程で設置される第１コンクリート床版１０Ｂを形成するコンクリートの打設前に、コンクリートの打設部位に配置される管状部材１３１と、管状部材１３１の一端部１３１ａを塞ぐ閉鎖部１３２とを有する。図７（Ｂ）に示すように、コンクリートの打設前に、管状部材１３１の内部に挿入され、管状部材１３１の他端部１３１ｂから押圧されつつ閉鎖部１３２を押圧する挿入部材１３３により、管状部材１３１は引張力Ｐを付与される。
【００４３】
なお、図７（Ａ）及び図７（Ｂ）の例では、管状部材１３１と閉鎖部１３２とは別個の部材であるが、管状部材１３１と閉鎖部１３２とは鋳造等により一体化した部材であってもよい。また、図７（Ａ）及び図７（Ｂ）の例では、挿入部材１３３は円柱状の部材であるが、挿入部材１３３は管状の部材でもよい。
【００４４】
図７（Ａ）及び図７（Ｂ）に示すように、管状部材１３１は、スリーブ１３４、ストッパ１３７、押込部材１３６、ロッド１３５を介して管状部材１３１の他端部１３１ｂから押圧される。管状部材１３１の他端部１３１ｂの近傍の外周面のネジ溝とスリーブ１３４の内周面のネジ溝とが噛み合うことにより、スリーブ１３４は管状部材１３１の他端部１３１ｂに固定されている。
【００４５】
スリーブ１３４の内周面のネジ溝とストッパ１３７の外周面のネジ溝とが噛み合うことにより、ストッパ１３７はスリーブ１３４にねじ込まれている。ストッパ１３７は、押込部材１３６及びロッド１３５を介して、挿入部材１３３を押圧する。また、ストッパ１３７は、ロッド１３９を挿入するためのロッド挿入孔部１３７ｈを含む。管状部材１３１の他端部１３１ｂの近傍の外周面のネジ溝と、アンカーナット１３８の内周面のネジ溝とが噛み合うことにより、管状部材１３１の他端部１３１ｂの近傍にアンカーナット１３８が固定されている。
【００４６】
図７（Ｂ）に示すように、ストッパ１３７のロッド挿入孔部１３７ｈにロッド１３９が挿入される。油圧ジャッキで押し込まれたロッド１３９により、押込部材１３６、ロッド１３５及び挿入部材１３３を介して閉鎖部１３２に圧縮力ｐが付与されることによって、管状部材１３１が引張力Ｐを付与される。ストッパ１３７はスリーブ１３４の内部にねじ込まれて、押込部材１３６、ロッド１３５及び挿入部材１３３の移動を制限する。以上により、プレテンション緊張材１３Ｂの引張力Ｐが付与される。
【００４７】
次に、プレテンション緊張材１３Ｂを用いた第１コンクリート床版１０Ｂの製造方法について説明する。なお、第１コンクリート床版１０Ｂは、本実施形態のコンクリート床版の接合構造１Ｂが適用される施工現場以外の工場等で打設されたプレキャストコンクリートにより形成されていてもよく、本実施形態のコンクリート床版の接合構造１Ｂが適用される施工現場で打設された場所打ちコンクリートにより形成されていてもよい。また、以下の説明において、第１継手鉄筋１２及びその他の鉄筋については、説明及び図示を省略する。
【００４８】
図８（Ａ）に示すように、第１設置工程では、第１設置工程で設置される第１コンクリート床版１０Ｂを形成するコンクリートＣの打設前に、管状部材１３１と、管状部材１３１の一端部１３１ａを塞ぐ閉鎖部１３２とを有するプレテンション緊張材１３ＢがコンクリートＣの打設部位に配置される。上記のように、管状部材１３１の内部に挿入され、管状部材１３１の他端部１３１ｂから押圧されつつ閉鎖部１３２を押圧する挿入部材１３３により管状部材１３１に引張力Ｐが付与されている。打設部位を囲繞するように、型枠２０２が配置される。
【００４９】
打設部位を囲繞する型枠２０２にコンクリートＣが注入されることにより、コンクリートＣが打設される。図８（Ｂ）に示すように、打設されたコンクリートＣの硬化後に、挿入部材１３３により管状部材１３１に付与された引張力Ｐを除去することにより、コンクリートＣにプレストレスＳが導入される。引張力Ｐの除去は、スリーブ１３４からストッパ１３７を取り外すことにより行われる。図８（Ｃ）に示すように、管状部材１３１からスリーブ１３４、ロッド１３５及び押込部材１３６が取り外され、型枠２０２が除去されることにより、プレテンション緊張材１３Ｂによってプレテンション方式によるプレストレスが導入されている第１コンクリート床版１０Ｂが製造される。
【００５０】
図９に示すように、第１設置工程では、プレテンション緊張材１３Ｂによってプレテンション方式によるプレストレスが導入されている第１コンクリート床版１０Ｂが設置される。第２設置工程では、上記第１実施形態と略同様に第２コンクリート床版２０が設置されるが、第１コンクリート床版１０Ｂの第１端面１１の外側に位置するカップラー５０を間詰コンクリート３１から絶縁するために、シース管２４は、接合工程でカップラー５０で設置されるカップラー５０の第２コンクリート床版２０の側の端部まで延在させられる。
【００５１】
接合工程では、上記第１実施形態と略同様にプレテンション緊張材１３Ｂの管状部材１３１の他端部１３１ｂとポストテンション緊張材２３とがカップラー５０により連結されるが、第１コンクリート床版１０Ｂの第１端面１１の外側に位置するカップラー５０を間詰コンクリート３１から絶縁するために、カップラー５０は、シース管２４に連結されたカップラーシース２５により被覆される。ポストテンション工程では、上記第１実施形態と同様に第２コンクリート床版２０及び間詰部３０にポストテンション緊張材２３によってポストテンション方式によるプレストレスが導入される。
【００５２】
本実施形態では、第１設置工程で設置される第１コンクリート床版１０Ｂを形成するコンクリートＣの打設前に、管状部材１３１と管状部材１３１の一端部１３１ａを塞ぐ閉鎖部１３２とを有するプレテンション緊張材１３ＢがコンクリートＣの打設部位に配置され、管状部材１３１の内部に挿入されて管状部材１３１の他端部１３１ｂから押圧されつつ閉鎖部１３２を押圧する挿入部材１３３により管状部材１３１に引張力Ｐが付与される。打設部位にコンクリートＣが打設される。打設されたコンクリートＣの硬化後に、挿入部材１３３により管状部材１３１に付与された引張力Ｐが除去されることによって、第１コンクリート床版１０ＢにプレストレスＳが導入される。このため、大規模な装置を要さずに第１コンクリート床版１０Ｂにプレテンション方式によるプレストレスＳを導入することができる。
【００５３】
以上、本発明の実施形態について説明したが、本発明は上記実施形態に限定されることなく様々な形態で実施される。例えば、上記実施形態におけるプレテンション緊張材１３Ａ，１３Ｂ、ポストテンション緊張材２３及びカップラー５０の構成、形状及び配置については適宜変更し得る。
【符号の説明】
【００５４】
１Ａ，１Ｂ…接合構造、１０Ａ，１０Ｂ…第１コンクリート床版、１１…第１端面、１２…第１継手鉄筋、１３Ａ，１３Ｂ…プレテンション緊張材、２０…第２コンクリート床版、２１…第２端面、２２…第２継手鉄筋、２３…ポストテンション緊張材、２４…シース管、２５…カップラーシース、３０…間詰部、３１…間詰コンクリート、４０…補強鉄筋、５０…カップラー、８１…一次施工部、８２…二次施工部、１３１…管状部材、１３１ａ…一端部、１３１ｂ…他端部、１３２…閉鎖部、１３３…挿入部材、１３４…スリーブ、１３５…ロッド、１３６…押込部材、１３７…ストッパ、１３７ｈ…ロッド挿入孔部、１３８…アンカーナット、１３９…ロッド、１８０…ダミー緊張材、２０１，２０２…型枠、２０１ｐ…型枠面、Ｆ…荷重、Ｐ…引張力、ｐ…圧縮力、Ｓ…プレストレス、Ｃ…コンクリート。
【図１】
2020133260.tif 000003
【図２】
2020133260.tif 000004
【図３】
2020133260.tif 000005
【図４】
2020133260.tif 000006
【図５】
2020133260.tif 000007
【図６】
2020133260.tif 000008
【図７】
2020133260.tif 000009
【図８】
2020133260.tif 000010
【図９】
2020133260.tif 000011